(57)【要約】【課題】送風機を有して帯電粒子を空気とともに吹き出す送風装置から吹き出される気流の方向を変えることができる送風装置用のキャップ及びスタンドを提供する。【解決手段】天蓋部３０に固定された風向板３２は、スタンド１００に収容した送風装置７の吹出口７２ａ，７２ａに対向配置されている。風向板３２は、吹出口７２ａ，７２ａから吹き出された気流（イオン及び空気を含む気流）の方向を変える。例えば、携帯型の送風装置７単体を携行している状態での気流の方向（上向き）に対して、卓上に置いた状態での気流の方向を風向板３２で変え、上方斜め前方向に向けることができる。【選択図】図６
2014057735.tif 000002
【特許請求の範囲】
【請求項１】
帯電粒子を空気とともに吹出口から吹き出す送風装置用のキャップであって、
前記吹出口から吹き出された気流の方向を変えるべく前記吹出口に対向配置された風向板を有することを特徴とする送風装置用のキャップ。
【請求項２】
前記吹出口に対面する前記風向板の面に導電性の被膜が形成してあることを特徴とする請求項１に記載の送風装置用のキャップ。
【請求項３】
帯電粒子を空気とともに吹出口から吹き出す送風装置用のスタンドであって、
前記吹出口を上にして前記送風装置の下部を嵌挿する凹部を有する基台と、
前記凹部に嵌挿された前記送風装置の前記吹出口の上方を覆い、傾斜して配置されている風向板を有し、前記基台に着脱可能に取り付けられるキャップと
を備えることを特徴とする送風装置用のスタンド。
【請求項４】
前記キャップは、
一端部を下にして前記基台に着脱可能に嵌め合わされ、他端部の中央に開口部が形成してあり、
更に該開口部に嵌挿されており、その下部に前記風向板を固定した天蓋部を有し、
前記キャップを前記基台に取り付けたときに、前記送風装置によって前記天蓋部が前記開口部から上方へ突出するようにしてあることを特徴とする請求項３に記載の送風装置用のスタンド。
【請求項５】
前記天蓋部は、前記凹部に嵌挿された前記送風装置の上部に当接する当接部を有し、
前記凹部に前記送風装置が嵌挿された状態で前記キャップを前記基台に取り付けたときに、前記開口部より前記天蓋部の位置が高いことを特徴とする請求項４に記載の送風装置用のスタンド。
【請求項６】
前記キャップは、
前記開口部から突出した前記天蓋部に固定されている前記風向板に対向し、前記開口部の縁部に上端部が連なる流路壁を有し、
前記風向板及び前記流路壁の下端部間の空間に前記送風装置の吹出口が臨んでいることを特徴とする請求項４又は請求項５に記載の送風装置用のスタンド。
【請求項７】
前記キャップは、前記天蓋部を内部に収容する方向に付勢する付勢手段を有することを特徴とする請求項４から請求項６のいずれか１つに記載の送風装置用のスタンド。
【請求項８】
前記吹出口に対面する前記風向板の面に導電性の被膜が形成してあることを特徴とする請求項３から請求項７のいずれか１つに記載の送風装置用のスタンド。
【発明の詳細な説明】
【技術分野】
【０００１】
本発明は、帯電粒子を空気とともに吹出口から吹き出す送風装置用のキャップ及びスタンドに関する。
【背景技術】
【０００２】
人の肌弾力を向上させる等の美容の分野において、肌の周囲に帯電粒子を照射する美容器具が種々提案されている。この美容器具は、帯電粒子発生器により帯電粒子を発生させて放出し、帯電粒子を人の肌に照射する。照射された帯電粒子によって、肌表面の水分量が増加する効果が得られるとともに、皮膚のより深い部分（真皮）における保水力を高めて肌弾力を向上する効果がある。
【０００３】
帯電粒子を発生させる方法としては、空気中で放電を行ってＨ+ （Ｈ2 Ｏ）m 、Ｏ2-（Ｈ2 Ｏ）n 等の水分子が凝集した正及び負のイオンを発生させる方法が知られている。ここで、ｍ及びｎは任意の自然数である。また、帯電粒子を発生させる他の方法としては、冷却した電極上における結露等で集めた水に高電圧をかけることにより、霧状の帯電した水粒子（以下、帯電水粒子と表記する。）を発生させる方法等もある。水分子が凝集したイオン、帯電水粒子等の帯電粒子が人の肌に照射されることによって、肌表面にＯＨ基が付着し、肌表面が親水化されて水分子が付着しやすくなるという効果が生じるものと考えられている。
【０００４】
特許文献１には、携帯用に改良された負イオン発生装置が記載されている。この負イオン発生装置は、放出口を有する筐体と、該筐体内部に配置され、帯電粒子としての負イオンを発生する負イオン発生電極と、該負イオン発生電極に負極性の高電圧を印加する高電圧発生回路が組み込まれた高圧基板と、電源となるバッテリとを備える。この負イオン発生装置は、紐などの装着手段を放出口付近に取り付けて顔の下辺りに吊り提げ、イオンを放出された負イオンが顔へと照射されるというものである。
【先行技術文献】
【特許文献】
【０００５】
【特許文献１】特開２００６−１７９３６３号公報
【発明の概要】
【発明が解決しようとする課題】
【０００６】
しかしながら、特許文献１に記載の従来の負イオン発生装置では、装着手段によって吊り提げて使用する以外に、例えば卓上に置いて使用した場合に、負イオンの放出口が卓上の上方に向くため、使用者が負イオン発生装置の真上に顔を近づけるようにしなければならず、利便性が低下するという問題点があった。
【０００７】
本発明は斯かる事情に鑑みてなされたものであり、その目的とするところは、送風機を有して帯電粒子を空気とともに吹き出す送風装置から吹き出される気流の方向を変えることができる送風装置用のキャップ及びスタンドを提供することにある。
【課題を解決するための手段】
【０００８】
本発明に係る送風装置用のキャップは、帯電粒子を空気とともに吹出口から吹き出す送風装置用のキャップであって、前記吹出口から吹き出された気流の方向を変えるべく前記吹出口に対向配置された風向板を有することを特徴とする。
【０００９】
本発明にあっては、風向板が、帯電粒子を空気とともに吹き出す送風装置の吹出口に対向配置されており、吹出口から吹き出された気流の方向を変える。例えば、携帯型の送風装置を携行している状態での気流の方向に対して、卓上に置いた状態での気流の方向を風向板で変えることにより利便性が向上する。
【００１０】
本発明に係る送風装置用のキャップは、前記吹出口に対面する前記風向板の面に導電性の被膜が形成してあることを特徴とする。
【００１１】
本発明にあっては、送風装置の吹出口に対面する風向板の面に導電性の被膜を形成してあるので、送風装置で正及び負の帯電粒子を発生させた場合に正及び負の電荷が中和して風向板の帯電を抑制することができる。
【００１２】
本発明に係る送風装置用のスタンドは、帯電粒子を空気とともに吹出口から吹き出す送風装置用のスタンドであって、前記吹出口を上にして前記送風装置の下部を嵌挿する凹部を有する基台と、前記凹部に嵌挿された前記送風装置の前記吹出口の上方を覆い、傾斜して配置されている風向板を有し、前記基台に着脱可能に取り付けられるキャップとを備えることを特徴とする。
【００１３】
本発明にあっては、基台は凹部を有しており、吹出口を上にして送風装置の下部を凹部に嵌挿する。キャップは風向板を有し、基台に着脱可能に取り付けられる。風向板は、基台の凹部に嵌挿された送風装置の吹出口の上方を覆い、傾斜して配置されている。これにより、送風装置を基台の凹部に嵌挿し、キャップが有する風向板によって吹出口から吹き出される気流の向きを変えることができる。
【００１４】
本発明に係る送風装置用のスタンドは、前記キャップは、一端部を下にして前記基台に着脱可能に嵌め合わされ、他端部の中央に開口部が形成してあり、更に該開口部に嵌挿されており、その下部に前記風向板を固定した天蓋部を有し、前記キャップを前記基台に取り付けたときに、前記送風装置によって前記天蓋部が前記開口部から上方へ突出するようにしてあることを特徴とする。
【００１５】
本発明にあっては、キャップは、一端部を下にして基台に着脱可能に嵌め合わされる。キャップは、他端部の中央に開口部が形成してあり、該開口部に嵌挿されている天蓋部を有し、天蓋部の下部には風向板を固定してある。キャップを基台に取り付けたときに、送風装置によって天蓋部が開口部から上方へ突出する。これにより、天蓋部の下部に固定した風向板が開口部から上方へ突出し、送風装置から吹き出される気流の方向が風向板で変えられて、帯電粒子を空気とともにスタンドの外部へ吹き出す。
【００１６】
本発明に係る送風装置用のスタンドは、前記天蓋部は、前記凹部に嵌挿された前記送風装置の上部に当接する当接部を有し、前記凹部に前記送風装置が嵌挿された状態で前記キャップを前記基台に取り付けたときに、前記開口部より前記天蓋部の位置が高いことを特徴とする。
【００１７】
本発明にあっては、天蓋部は、凹部に嵌挿された送風装置の上部に当接する当接部を有し、凹部に送風装置が嵌挿された状態でキャップを基台に取り付けたときに、開口部より天蓋部の位置が高い。これにより、送風装置をスタンドに収容した状態で、天蓋部が開口部よりも突出した状態になる。
【００１８】
本発明に係る送風装置用のスタンドは、前記キャップは、前記開口部から突出した前記天蓋部に固定されている前記風向板に対向し、前記開口部の縁部に上端部が連なる流路壁を有し、前記風向板及び前記流路壁の下端部間の空間に前記送風装置の吹出口が臨んでいることを特徴とする。
【００１９】
本発明にあっては、キャップは開口部の縁部に上端部が連なる流路壁を有しており、流路壁は開口部から突出した天蓋部に固定されている風向板に対向する。風向板及び流路壁の下端部間の空間に送風装置の吹出口が臨んでいる。これにより、送風装置の吹出口から吹き出された帯電粒子及び空気は、風向板と流路壁とで形成される通流路を通って、外部へ吹き出される。
【００２０】
本発明に係る送風装置用のスタンドは、前記キャップは、前記天蓋部を内部に収容する方向に付勢する付勢手段を有することを特徴とする。
【００２１】
本発明にあっては、付勢手段により天蓋部はキャップ内部に収容する方向に付勢されるので、送風装置をスタンド内に収容していない状態では天蓋部はキャップの開口部から突出しない。
【００２２】
本発明に係る送風装置用のスタンドは、前記吹出口に対面する前記風向板の面に導電性の被膜が形成してあることを特徴とする。
【００２３】
本発明にあっては、送風装置の吹出口に対面する風向板の面に導電性の被膜を形成してあるので、送風装置で正及び負の帯電粒子を発生させた場合に正及び負の電荷が中和して風向板の帯電を抑制することができる。
【発明の効果】
【００２４】
本発明によれば、風向板は、帯電粒子を空気とともに吹き出す送風装置の吹出口に対向配置されており、吹出口から吹き出された気流の方向を変えることができる。
【図面の簡単な説明】
【００２５】
【図１】本発明の実施の形態１に係るキャップ及びスタンドの外観を示す正面側の斜視図である。
【図２】天蓋部が収容された状態のキャップ及びスタンドの正面図である。
【図３】天蓋部が突出した状態のキャップ及びスタンドの正面図である。
【図４】送風装置の外観を示す斜視図である。
【図５】キャップ及びスタンドの縦断側面図である。
【図６】送風装置を収容した状態のキャップ及びスタンドの縦断側面図である。
【図７】本発明の実施の形態２に係るキャップに送風装置を収容した状態における縦断側面図である。
【発明を実施するための形態】
【００２６】
以下、本発明に係る送風装置用のキャップ及びスタンドの実施の形態を図面に基づいて説明する。
【００２７】
図１は、本発明の実施の形態１に係るキャップ２及びスタンド１００の外観を示す正面側の斜視図、図２は天蓋部３０が収容された状態のキャップ２及びスタンド１００の正面図、図３は天蓋部３０が突出した状態のキャップ２及びスタンド１００の正面図、図４は送風装置７の外観を示す斜視図である。本実施形態に係るキャップ２は、送風装置７に被せた状態で、送風装置７から吹き出される気流の方向を変える。また、キャップ２を含むスタンド１００は、送風装置７を内部に収容し、キャップ２が送風装置７に被せてあり、送風装置７から吹き出される気流の方向を変える。
【００２８】
まず、全体の構成について説明する。スタンド１００は、基台部１と、キャップ２とを備える。基台部１は有底円筒状をなし、上部の開口の縁にキャップ２を着脱可能に嵌め合わせてある。キャップ２は、円筒状の収容体２０と、収容体２０の上部の開口に嵌挿される天蓋部３０とを備える。収容体２０は、円筒状の胴部２１の上端に内向きに円環状の鍔２１ａを設けてなる。鍔２１ａの内周側の縁により開口部２１ｂが形成される。天蓋部３０は天板３１等を備え、天板３１の周縁３１ｂは開口部２１ｂに嵌合する。天蓋部３０は、収容体２０に収容された状態で、天板３１の外面と鍔２１ａの外面とが面一となる。送風装置７をスタンド１００内に収容した状態で、天蓋部３０は収容体２０の鍔２１ａから上方へ突出する。天蓋部３０は、天板３１の下方に円筒を斜めに切除された側筒部３１ｃを有する。側筒部３１ｃは、正面側の上部から背面側の下部にかけて下方側が切除してある。側筒部３１ｃの切り口にあたる縁部３１ｄ、及び該縁部３１ｄに対向する開口部２１ｂの一部によって開口がスタンド１００の正面側に形成される。
【００２９】
送風装置７はハウジング７０内に後述する送風機７５及びイオン発生器７６等を収容する。ハウジング７０は、角筒状の胴部７１と、胴部７１の両端に嵌着させた上板７２及び底板７３を備える。送風装置７は、胴部７１の側面に設けた吸込口７１ａから吸い込んだ空気とともにイオン発生器７６により発生させたイオンを、上板７２に設けた吹出口７２ａ，７２ａから吹き出す。送風装置７がスタンド１００の内部に収容された状態では、吹出口７２ａ，７２ａから吹き出される空気及びイオンは、天蓋部３０の側筒部３１ｃにおける縁部３１ｄ及び開口部２１ｂの一部によって形成される開口を通って、外部へ放出される。
【００３０】
次に各部の構成について説明する。図５はキャップ２及びスタンド１００の縦断側面図である。尚、図５において紙面右側を正面側（前側）、紙面左側を背面側（後側）としている。キャップ２の天蓋部３０は、側筒部３１ｃの縁部３１ｄに嵌合する風向板３２と、側筒部３１ｃの下端に固定した底板４とを備える。風向板３２は、後方にやや膨んだ湾曲した形状をなす板部材であり、上端部３２ａが天板３１の前側の縁部３１ｄ下面に係合し、下端部３２ｂが底板４に当接して固定されている。風向板３２は後側下方から前側上方にかけて傾斜して配置されている。風向板３２の両側部は、側筒部３１ｃの縁部３１ｄに沿う曲線形状としてある。また、風向板３２に対向し、開口部２１ｂの縁部に上端部２２ａが連結された円錐筒状の流路壁２２が設けてある。尚、流路壁２２の後方部分は、側筒部３１ｃに対面する筒状をなしている。また、側筒部３１ｃの内部の後寄りに、底板４を連結するための螺子穴を設けた連結部３１ｅを設けてある。
【００３１】
底板４は、胴部２１の内周面に納まる外径を有する円盤状をなす。底板４の中央部後寄りにボス部４２が設けてあり、下方から螺子を挿通して連結部３１ｅの螺子穴に螺合させることにより、底部４を天蓋部３０に固定する。底板４の中央部には、上方へ窪み、送風装置７の上側の端部を嵌合させる凹部４３が形成してあり、凹部４３の底には、送風装置７の吹出口７２ａ，７２ａに対応する貫通孔が形成された開口部４３ａが設けられている。開口部４３ａは、平面視で吹出口７２ａ，７２ａを包絡し、更に広く開口している。凹部４３の前後の縁部には、送風装置７の上端を案内するガイド板４５，４５が設けてある。また、開口部４３ａの後側の縁に風向板３２の下端部が当接している。
【００３２】
底板４の周縁の３箇所には、胴部２１の内周面に対面する側板４４，４４が設けてある。胴部２１には、側板４４，４４に対応するガイド部２３，２３が胴部２１の内周面から突起し上下方向に延びる条として形成されている。また、底板４の後部に立設された軸体に圧縮コイルばね４６が軸方向を上下方向として一端部を挿通してあり、圧縮コイルばね４６の他端部は胴部２１の内周面に形成したホルダ２４の止り穴に挿入されている。
【００３３】
基台部１は、送風装置７を収容する有底円筒状の収容台１１と、該収容台１１の底部に嵌装される基板ケース１２とを備える。収容台１１の後部には空気を取り入れる空気取入口１１ａ、及びＵＳＢ（Universal Serial Bus）プラグ端子（図示略）を挿入する開口部１１ｂが設けられている。基板ケース１２は、平面視円形の箱状をなし、下部が収容台１１の底部に着座する。基板ケース１２の内部には基板１４が収容されており、後部にはＵＳＢプラグ端子を挿入する開口部１２ａが設けられている。
【００３４】
基板１４には、基板ケース１２の中央部に対応する位置にＵＳＢプラグ端子１５を設けてあり、開口部１２ａ側の端部にＵＳＢソケット端子１６を設けてある。ＵＳＢプラグ端子１５とＵＳＢソケット端子１６とは互いに電気的に接続してある。基板ケース１２の上面の中央部には、下方に窪み、送風装置７の下側の端部を勘合させる凹部１３が設けてあり、凹部１３の底１３ａに設けた貫通孔からＵＳＢプラグ端子１５が上方へ突き出している。
【００３５】
次に送風装置７をスタンド１００内に収容して使用する状態について説明する。図６は送風装置７を収容した状態のキャップ２及びスタンド１００の縦断側面図である。キャップ２の収容体２０を上方へ持ち上げて基台部１から取り外し、上方から送風装置７を基台部１へ挿入し、送風装置７の下側の端部を凹部１３へ勘合させる。送風装置７の底板７３を凹部１３の底１３ａに着座させる。基板ケース１２に設けたＵＳＢプラグ端子１５は、送風装置７の底板７３に設けられているＵＳＢソケット端子に挿入される。
【００３６】
次に送風装置７の上方からキャップ２の収容体２０を被せ、ガイド板４５，４５に送風装置７の上側の端部を添わせながら、キャップ２を降ろしていく。送風装置７の上板７２の外面が凹部４３の底に当接することによって、天蓋部３０の上下方向の位置が決まる。更にキャップ２を降ろしていくと、天蓋部３０が静止した状態で収容体２０が下方に動き、天蓋部３０が鍔２１ａから突出してくる。更にキャップ２の収容体２０を下降させて、基台部１上部の開口の縁に嵌め合わせる。
【００３７】
送風装置７をスタンド１００内に収容した状態で天蓋部３０の天板３１の位置は鍔２１ａの位置より高くなり、側筒部３１ｃの縁部３１ｄ、及び該縁部３１ｄに対向する開口部２１ｂの一部によって開口がスタンド１００の正面側に形成される。また、風向板３２と流路壁２２と間に通流路が形成され、底板４に設けた開口部４３ａが風向板３２の下端部及び流路壁２２の下端部２２ｂ間の空間に臨む。
【００３８】
基板ケース１２に設けたＵＳＢソケット端子１６に外部からＵＳＢプラグ端子を接続することによってバス電源が送風装置７に供給される。送風装置７の内部には、前後方向の略中央に回路基板７７が配置されており、回路基板７７の一面側に充電可能なバッテリ７４を、他面側に送風機７５を、回路基板７７の上方にイオン発生器７６を設けてある。回路基板７７と送風機７５との間の隙間を設けてあり、該隙間はハウジング７０の胴部７１に設けた吸込口７１ａに通じており、上流側通流路７８ａを構成している。送風機７５は遠心ファンであり、複数の羽根７５ａがモータ７５ｂにより前後方向の軸まわりに回転駆動される。羽根７５ａが回転することにより図６の白抜き矢印に示すように、上流側通流路７８ａから送風機７５の内部空間７８ｂに空気が吸い込まれ、送風機７５の上部に設けた開口から下流側通流路７８ｃへ送出される。尚、吸込口７１ａから上流側通流路７８ａに吸い込まれる空気は、空気取入口１１ａを通してスタンド１００の外部から取り入れられる。
【００３９】
下流側通流路７８ｃには、イオン発生器７６の放電電極７６ａが露出しており、放電電極７６ａで発生させたイオンは、下流側通流路７８ｃを通流する空気とともに、吹出口７２ａ，７２ａから吹き出される。イオン発生器７６は、放電電極に正又は負極性の高電圧を印加して正イオン又は負イオンを発生させる。またイオン発生器７６は、放電電極７６ａを２つ備え、一方の放電電極に正極性の高電圧を、他方の放電電極に負極性の高電圧を印加して正及び負のイオンを同時に発生するようにしてもよい。イオン発生器７６は、放電電極７６ａで、負イオンとしてＯ2 - （Ｈ2 Ｏ）n （ｎは任意の自然数）を、正イオンとしてＨ+ （Ｈ2 Ｏ）m （ｍは任意の自然数）を発生させる。
【００４０】
送風装置７の吹出口７２ａ，７２ａから吹き出されたイオン及び空気は、底板４の開口部４３ａから吹き出し、風向板３２と流路壁２２との間の通流路を通り、側筒部３１ｃの縁部３１ｄ及び該縁部３１ｄに対向する開口部２１ｂの一部で形成される開口から正面側へ吹き出される。送風装置７の吹出口７２ａから吹き出される気流（イオン及び空気の流れ）の方向は、キャップ２を被せない状態では上向きとなるが、キャップ２を被せた状態では、風向板３２によって気流の方向が変えられて上方斜め前方向となる。
【００４１】
また、吹出口７２ａに対面する風向板３２の面、即ち風向板３２の前側下方を向く板面に導電性の被膜が形成されていてもよい。送風装置７から吹き出されたイオンが風向板３２に吹き付けられるので、風向板３２は吹き付けられたイオンの付着によって帯電する可能性がある。イオン発生器７６により正イオン及び負イオンの両方を発生させている場合には、風向板３２に形成した導電性の被膜によって、正及び負の電荷が中和して帯電を抑制できる。また、イオン発生器７６により正イオン及び負イオンのいずれか一方を発生させる構成の場合には、導電性の被膜を基板１４の接地線に接続するようにして正及び負の電荷を接地線へ流すようにすればよい。なお、導電性の被膜は、アルミ蒸着、クロムメッキ、銀メッキ等の処理、カーボンの塗布、又は金属箔の貼り付け等で形成する。
【００４２】
以上のように、本実施形態によれば、風向板３２が、送風装置７の吹出口７２ａ，７２ａに対向配置されており、吹出口７２ａ，７２ａから吹き出された気流（イオン及び空気を含む気流）の方向を変える。例えば、携帯型の送風装置７単体を携行している状態での気流の方向（上向き）に対して、卓上に置いた状態での気流の方向を風向板３２で変え、上方斜め前方向に向けることができ、利便性が向上する。
【００４３】
また本実施形態においては、送風装置７の吹出口７２ａ，７２ａに対面する風向板３２の面に導電性の被膜を形成してあるので、送風装置７で正及び負のイオンを発生させた場合に正及び負の電荷が中和して風向板３２の帯電を抑制することができる。
【００４４】
また本実施形態においては、基台部１は凹部１３を有しており、吹出口７２ａ，７２ａを上にして送風装置７の下部を凹部１３に嵌挿する。キャップ２は風向板３２を有し、基台部１に着脱可能に取り付けられる。風向板３２は、基台部１の凹部１３に嵌挿された送風装置７の吹出口７２ａ，７２ａの上方を覆い、傾斜して配置されている。これにより、送風装置７を基台部１の凹部３２に嵌挿し、キャップ２の天蓋部３０に設けた風向板３２によって吹出口７２ａ，７２ａから吹き出される気流の向きを変えることができる。
【００４５】
また本実施形態においては、キャップ２の収容体２０は筒状をなし、一端部を下にして基台部１に着脱可能に嵌め合わされる。キャップ２は上部の中央に開口部２１ｂが形成してあり、開口部２１ｂに嵌挿されている天蓋部３０を有する。天蓋部３０の天板３１の下部には風向板３２が固定してある。キャップ２を基台部１に取り付けたときに、送風装置７によって天蓋部３０が開口部２１ｂから上方へ突出する。これにより、天蓋部３０の天板３１の下部に固定した風向板３２が開口部２１ｂから上方へ突出し、送風装置７から吹き出される気流の方向が風向板３２で変えられて、イオンを空気とともにスタンド１００の外部へ吹き出す。
【００４６】
また本実施形態においては、天蓋部３０は、基台部１の凹部１３に嵌挿された送風装置７の上部に当接する凹部４３を底部４に有する。基台部１の凹部１３に送風装置７が嵌挿された状態でキャップ２を基台部１に取り付けたときに、開口部２１ｂより天蓋部３０の位置が高い。これにより、送風装置７をスタンド１００に収容した状態で、天蓋部３０が開口部２１ｂよりも突出した状態になる。
【００４７】
また本実施形態においては、キャップ２は開口部２１ｂの縁部に上端部２２ａが連なる流路壁２２を有しており、流路壁２２は開口部２１ｂから突出した天蓋部３０に固定されている風向板３２に対向する。風向板３２の下端部及び流路壁２２の下端部２２ｂ間の空間に送風装置７の吹出口７２ａ，７２ａが臨んでいる。これにより、送風装置７の吹出口７２ａ，７２ａから吹き出されたイオン及び空気は、風向板３２と流路壁２２とで形成される通流路を通って、外部へ吹き出される。
【００４８】
本実施形態にあっては、圧縮コイルばね４６により天蓋部３０はキャップ２内部に収容する方向に付勢されるので、送風装置７をスタンド１００内に収容していない状態では天蓋部３０はキャップの開口部２１ｂから突出しない。
【００４９】
（実施の形態２）
上述の実施の形態１では、スタンド１００は基台部１及びキャップ２を有し、スタンド１００内に送風装置７を収容する構成としたが、キャップ２を送風装置７に被せるように構成してもよい。図７は、本発明の実施の形態２に係るキャップ２に送風装置７を収容した状態における縦断側面図である。キャップ２は、実施の形態１に比較して、収容体２０の胴部２１を軸方向下方に長い形状とし、胴部２１下部に空気取入口２５を設ける。キャップ２の上部、及び天蓋部３０の構成は実施の形態１と同等としている。
【００５０】
送風装置７は、ＵＳＢプラグ端子が接続されていないので、内部のバッテリ７４により駆動する。送風装置７にキャップ２を被せる前に送風装置７の電源ボタン（図示略）を押して電源をオンし、イオン及び空気を吹き出す運転状態とし、送風装置７を卓上の載置面Ｄに立て置きしてキャップ２を被せる。
【００５１】
送風装置７の吹出口７２ａから吹き出される気流（イオン及び空気の流れ）の方向は、キャップ２を被せた状態で、風向板３２によって気流の方向が変えられて正面向きとなる。また、基台部２を設けていないので、部品点数が削減されコストを下げることができる。尚、送風装置７の姿勢は、上部を凹部４３に嵌合させることで安定化させるが、胴部２１の上下方向の中途部から送風装置７を挟持する板部材を配置して送風装置７の転倒を防止するようにしてもよい。
【００５２】
また、本実施の形態１及び２においては、帯電粒子として水分子が凝集したイオンを発生させる形態を示したが、この形態に限られることなく、送風装置７が帯電水粒子等の帯電粒子を発生させる形態であってもよい。
【００５３】
尚、本発明は、本実施の形態だけに限ることなく、特許請求の範囲に記載された発明の技術的範囲及びそれと均等な範囲に及ぶものとする。
【符号の説明】
【００５４】
１  基台部（基台）
１３  凹部
２  キャップ
２１ｂ  開口部
２２  流路壁
３０  天蓋部
３２  風向板
４３  凹部（当接部）
４６  圧縮コイルばね（付勢手段）
７  送風装置
７２ａ  吹出口
１００  スタンド
【図１】
2014057735.tif 000003
【図２】
2014057735.tif 000004
【図３】
2014057735.tif 000005
【図４】
2014057735.tif 000006
【図５】
2014057735.tif 000007
【図６】
2014057735.tif 000008
【図７】
2014057735.tif 000009